(57)【要約】【課題】安全かつより確実に殺菌を行うことのできる殺菌機能付便器を提供する。【解決手段】便器本体１に設けられている、軸方向に進退自在であるノズル２の噴射孔３から人体局部に洗浄水を噴射して局部洗浄する局部洗浄装置４のノズル２に、便器内部を殺菌するための殺菌灯を備え、この殺菌灯が紫外LED５からなる。そして、紫外LED５をノズル２の軸回りに回転自在に設けた。そして、複数の紫外LED５をノズル２に設けた。そして、ノズル２が、紫外線によって劣化しない無機材料によってなる。そして、便器本体１の上側開口部９を開閉する便蓋６の一部を透明にし、その透明部７に蛍光体を設けた。【選択図】図１
2007170051.tif 000002
【特許請求の範囲】
【請求項１】
便器本体に設けられている、軸方向に進退自在であるノズルの噴射孔から人体局部に洗浄水を噴射して局部洗浄する局部洗浄装置のノズルに、便器内部を殺菌するための殺菌灯を備え、この殺菌灯が紫外LEDからなる殺菌機能付便器。
【請求項２】
殺菌灯をノズルの軸回りに回転自在に設けたことを特徴とする請求項１記載の殺菌機能付便器。
【請求項３】
複数の殺菌灯をノズルに設けたことを特徴とする請求項１又は２記載の殺菌機能付便器。
【請求項４】
ノズルが、紫外線によって劣化しない無機材料によってなることを特徴とする請求項１〜３のいずれか1項記載の殺菌機能付便器。
【請求項５】
便器本体の上側開口部を開閉する便蓋の一部を透明にし、その透明部に蛍光体を設けたことを特徴とする請求項１〜４のいずれか1項記載の殺菌機能付便器。
【発明の詳細な説明】
【技術分野】
【０００１】
本願発明は、殺菌機能の付いた便器に関するものである。
【背景技術】
【０００２】
従来から、特開２００５−２３５５４公報（特許文献１）に示されるように、紫外LEDによって便器やその周辺の部材を殺菌する殺菌機能付便器は知られている。この殺菌機能付便器は図４に示すように、便蓋６が閉じられると、６０秒間だけ、紫外LED５からなる殺菌灯が発光する。この紫外LED５の発光により、紫外線が便器本体１の内側面に照射されて、殺菌が行われる。又、便蓋６が閉じられると、７０秒間だけ、表示用LED１１が発光する。
【特許文献１】特開２００５−２３５５４号公報
【発明の開示】
【発明が解決しようとする課題】
【０００３】
しかしながら、特開２００５−２３５５４公報に示される上記従来例の殺菌機能付便器にあっては、便蓋６の裏面側に紫外LED５を露呈するように設けているので、便座８の裏面等に殺菌効果を及ばせるのが困難である。又、紫外LED５が固定された位置に設けられているので、特定の部位のみしか殺菌効果が及ばない。又、従来はノズルの原料として樹脂が主に使われているが、樹脂は紫外線により殺菌を行うことにより劣化してしまう。又、紫外線によって殺菌を行っている時は、使用者に紫外線が及ばないように表示用LED１１を用いているが、これは便蓋６の作成に手間がかかる上に、殺菌中であるということを認識しにくい。又、便蓋６の裏面側に紫外LED５が露呈するように配置されたことで使用者が紫外LED５を視認できてしまうので、紫外線に対して意識してしまい、不安になるという問題もある。
【０００４】
本願発明は上記背景技術に鑑みて発明されたものであり、その課題は、安全かつより確実に殺菌を行うことのできる殺菌機能付便器を提供することである。
【課題を解決するための手段】
【０００５】
上記課題を解決するために、本願請求項１記載の発明では、便器本体に設けられている、軸方向に進退自在であるノズルの噴射孔から人体局部に洗浄水を噴射して局部洗浄する局部洗浄装置のノズルに、便器内部を殺菌するための殺菌灯を備え、この殺菌灯を紫外LEDとしている。
【０００６】
又、本願請求項２記載の発明では、上記請求項１記載の殺菌機能付便器において、殺菌灯をノズルの軸回りに回転自在に設けたことを特徴としている。
【０００７】
又、本願請求項３記載の発明では、上記請求項１又は２記載の殺菌機能付便器において、複数の殺菌灯をノズルに設けたことを特徴としている。
【０００８】
又、本願請求項４記載の発明では、上記請求項１〜３のいずれか1項記載の殺菌機能付便器において、ノズルが、紫外線によって劣化しない無機材料によってなることを特徴としている。
【０００９】
又、本願請求項５記載の発明では、上記請求項１〜４のいずれか1項記載の殺菌機能付便器において、便器本体の上側開口部を開閉する便蓋の一部を透明にし、その透明部に蛍光体を設けたことを特徴としている。
【発明の効果】
【００１０】
本願請求項１記載の発明の殺菌機能付便器においては、ノズルが軸方向に進退自在であるため、ノズルに備えた紫外LEDもノズルの軸方向に進退自在となる。よって、便器内部に対して全体的に紫外線を照射することができる。又、便座よりも下側に紫外LEDが位置しているので、上側に照射すれば便座裏等の紫外線を照射しにくい部位に対しても効果的に照射することができる。又、紫外LEDや局部洗浄装置を使用していないときは、ノズルは引っ込むので紫外LEDは使用者に視認できない位置におさまり、紫外LEDが見えることにより使用者が不安になることもなく安心して使用できる。
【００１１】
本願請求項２記載の発明の殺菌機能付便器においては、特に、殺菌灯をノズルに軸回りに回転自在に設けているため、広範に紫外線を照射できる。
【００１２】
本願請求項３記載の発明の殺菌機能付便器においては、特に、複数の殺菌灯をノズルに設けているため、より広範に紫外線を照射できる。
【００１３】
本願請求項４記載の発明の殺菌機能付便器においては、特に、ノズルが紫外線によって劣化しない無機材料によって出来ているので、紫外線が照射されてもノズルが劣化せず、信頼性が向上する。
【００１４】
本願請求項５記載の発明の殺菌機能付便器においては、特に、便器本体の上側開口部を開閉する便蓋の一部を透明にし、その透明部に蛍光体を設けているため、殺菌灯使用時においては、その透明部の蛍光体が発光し、使用者が、殺菌灯が駆動していることを明確に視認できる。これにより、使用者が誤って紫外線を浴びることを防ぐことができる。また、蛍光体を設けた透明部を備えるだけでよいので、細かい部品を用いた施工や電気配線をしたりせずに済み、施工性にも優れている。
【発明を実施するための最良の形態】
【００１５】
以下、本願発明を添付図面に示す実施形態に基づいて説明する。
【００１６】
図１〜３は、本願請求項１〜５全てに対応した一実施形態である殺菌機能付便器を示している。
【００１７】
この殺菌機能付便器は、便器本体１に設けられている、軸方向に進退自在であるノズル２の噴射孔３から人体局部に洗浄水を噴射して局部洗浄する局部洗浄装置４のノズル２に、便器内部を殺菌するための殺菌灯を備え、この殺菌灯が紫外LED５からなる。そして、この紫外LED５をノズル２の軸回りに複数、回転自在に設けている。そして、ノズル２が、紫外線によって劣化しない無機材料によってなる。そして、便器本体１の上側開口部９を開閉する便蓋６の一部を透明にし、その透明部７に蛍光体を設けている。
【００１８】
以下、この実施形態の殺菌機能付便器をより具体的詳細に説明する。
【００１９】
図１〜３に示すように、この殺菌機能付便器は、便器本体１と、便器本体１の一端に設けられている局部洗浄装置４と、便器本体１に取り付けられた便座８及び便蓋６からなる。
【００２０】
便器本体１は陶器や樹脂等からなり、上側開口部９の縁で、便座８及び便蓋６をそれぞれ開閉自在に支持している。便座８は樹脂等により一体化されて形成されている。便蓋６には中央部に透明性を有する樹脂等により形成された透明部７があり、この透明部７と共にその他の非透明部が一体化されて形成されている。この透明部７には紫外線が照射された時に発光する蛍光体を設けている。又、便蓋６は便器本体１の上側開口部９を完全に覆い隠すように閉じる。
【００２１】
人体局部に洗浄水を噴射して局部洗浄するための局部洗浄装置４は、便器本体１の上側開口部９の縁に設けられている。この局部洗浄装置４は、ノズル２を軸方向に進退自在かつ軸回りに回転自在に動かすためのノズル装置１０を内部に有する。このノズル２は無機材料であるセラミックス、ステンレス、ガラス等からなり、先端付近には洗浄水を使用者の局部に対して噴射するための噴射孔３が設けられている。この噴射孔３は先端付近の上側に位置する。又、ノズル２の先端付近には複数の紫外LED５が設けられている。この紫外LED５は先端付近の下側であって、便器本体１内部に紫外線を照射できるように位置する。
【００２２】
したがって、この実施形態の殺菌機能付便器においては、ノズル２が軸方向に進退自在であるため、ノズル２に備えた紫外LED５もノズル２の軸方向に進退自在となる。よって、便器内部下側に対して全体的に紫外線を照射することができる。又、紫外LED５や局部洗浄装置４を使用していないときは、ノズル２は使用者に視認できない位置に納まるため、紫外LED５が見えることにより使用者が不安になることもなく、安心して使用できる。
【００２３】
又、紫外LED５をノズル２に軸回りに回転自在に設けているため、上側にも紫外線を照射することが可能となる。更に、便座８よりも下側に紫外LED５が位置しているので、上側に照射することで便座裏等の紫外線を照射しにくい部位に対しても照射することができる。紫外LED５を備えたノズル２が進退自在かつ回転自在に動作するため、便器本体１の形を選ぶこと無く、便器内部全体に対して広範に紫外線を照射することができる。
【００２４】
又、複数の紫外LED５をノズル２に設けているため、より広範に紫外線を照射できる。
【００２５】
又、ノズル２が紫外線によって劣化しない無機材料であるセラミックス、ステンレス、ガラス等から出来ているので、紫外線が照射されてもノズル２が劣化せず、信頼性が向上する。
【００２６】
又、便器本体１の上側開口部９を開閉する便蓋６の一部を透明にし、その透明部７に蛍光体を設けているため、紫外LED５使用時においては、その透明部７の蛍光体が発光し、使用者が、紫外LED５が駆動していることを明確に視認できる。これにより、使用者が誤って紫外線を浴びることを防ぐことができる。又、蛍光体を設けた透明部７を備えるだけでよいので、細かい部品を用いた施工や電気配線をしたりせずに済み、施工性にも優れている。
【図面の簡単な説明】
【００２７】
【図１】本願発明の一実施形態である殺菌中の殺菌機能付便器を示す断面図。
【図２】同殺菌中の殺菌機能付便器を示す斜視図。
【図３】同殺菌機能付便器のノズルが収納されている状態を示す全体斜視図。
【図４】従来例である殺菌機能付便器を示す側面図。
【符号の説明】
【００２８】
１  便器本体
２  ノズル
３  噴射孔
４  局部洗浄装置
５  紫外LED
６  便蓋
７  透明部
８  便座
９  上側開口部
１０  ノズル装置
【図１】
2007170051.tif 000003
【図２】
2007170051.tif 000004
【図３】
2007170051.tif 000005
【図４】
2007170051.tif 000006